(57)【要約】【課    題】携帯電話機に付与された高機能な性能を利用して、紙媒体などの公知媒体により頒布，告知される商品などの情報に接したユーザーが前記情報とそれに関連する情報を、至って簡単な手間でその携帯電話機に容易に取寄せることを可能にするなど、従来公知の情報拡散と情報収集方式とは全く異なる商品情報の取扱いシステムを提供すること。【解決手段】紙媒体などの公知媒体１に掲載されたり公知媒体１を通して頒布される商品などの情報に、人が視覚的且つ聴覚的に認識できる文字や記号などによるコードを付けて表示するか告知する一方、前記商品など情報のコードに連繋させてその商品などの情報に関連する情報をサーバーコンピュータ５に書込み，読出し自在にして格納しておき、前記媒体の商品などの情報に接したユーザーが前記コードを携帯電話機２のキー操作で入力することにより、前記サーバーコンピュータ５から前記商品などの情報の関連した情報を当該携帯電話機２に供給させて当該電話機２の表示画面に表示させること。【選択図】    図１
2005025634.tif 000002
【特許請求の範囲】
【請求項１】
紙媒体などの公知媒体に掲載されたり公知媒体を通して頒布される商品などの情報に、人が視覚的且つ聴覚的に認識できる文字や記号などによるコードを付けて表示するか告知する一方、前記商品など情報のコードに連繋させてその商品などの情報に関連する情報をサーバーコンピュータに書込み，読出し自在にして格納しておき、前記媒体の商品などの情報に接したユーザーが前記コードを携帯電話機のキー操作で入力することにより、前記サーバーコンピュータから前記商品などの情報の関連した情報を当該携帯電話機に供給させて当該電話機の表示画面に表示させることを特徴とする商品等に関する情報の取扱いシステム。
【請求項２】
コードを付した商品などの情報は、雑誌に掲載したり商品自体のタグなどに印刷し、或は、ラジオ放送等の放送において告知することにより、ユーザーに提示する請求項１の商品等に関する情報の取扱いシステム。
【請求項３】
各ユーザーの携帯電話機に供給される関連する情報は、各々のユーザーのコードと商品などの情報のコードとに連繋されてサーバーコンピュータ、又は、当該コンピュータと前記電話機の記憶装置に格納して保存できる請求項１又は２の商品等に関する情報の取扱いシステム。
【発明の詳細な説明】
【０００１】
【発明の属する技術分野】
本発明は雑誌などの紙媒体に掲載された商品や役務、或は、人や場所などに関する情報（以下、商品などの情報という）について、前記雑誌の読者などが要望すれば、一段と拡張乃至拡大された前記商品などの情報に関連した情報や、より堀下げた内容の関連した情報（以下、関連する情報という）を、それを要望した前記読者などに提供する商品などの情報の取扱いシステムに関する。
【０００２】
【従来の技術】
従来から商品などの情報をユーザーに提供する方法は、紙媒体，電波媒体，インターネットを含む通信媒体など、適宜の情報伝達媒体を通して広範に行われている。
【０００３】
ここで、商品などの情報とは、商品や産品或は役務については、それら自体並びにのメーカーや提供者或は生産者，生産地など、前記商品や産品或は役務などについて直接又は間接に関連する一切の事項をいう。また、人や場所などについては、その人や場所と関連する人や場所或は品物など、その人や場所などに直接又は間接に関連する一切の事項をいうものとし、以下、本明細書では、商品などの情報とそれに関連する情報を上記の意味で用いる。
【０００４】
従来、紙媒体や電波媒体を介した商品情報のユーザーへの提示は、情報提供側からユーザーへのいわば一方通行形態でしかなく、しかも、その情報は一面的なもの或は一元的なものでかしない（因みに、雑誌に掲載された情報では掲載内容以上の情報はなく、また、オンエアされた放送では発された情報はそれ自体がすぐ消失する）ため、当該商品などの情報とそれに関連する情報は、各ユーザーが各々に必要とする商品などの情報や関連する情報を、外部の媒体で探索したり、インターネット検索などにより別途捜す必要があった。しかし、そのような探索や検索は手間と時間を要するため、容易かつ迅速な関連する情報の収集は容易ではなかった。
【０００５】
一方、最近の携帯電話機に関する技術の進展は著しく、殆んどパーソナルコンピュータ（以下、パソコン）やＰＤＡと比肩し得る機能，性能で高機能化された携帯電話が出回り広く普及しつつある。即ち、最近の携帯電話機は、本来の電話機能を超え、静止画像や音楽などの情報の受発信は勿論のこと、動画情報の受発信やそれらの情報の蓄積も可能になっている。
【０００６】
【発明が解決しようとする課題】
本発明は、上述した従来型の商品などの情報のユーザーへの提供、或は、商品などの情報並びにそれに関連する情報のユーザーの探索や検索による取得などの現状と、携帯電話機に付与された高機能な性能に鑑み、携帯電話機に付与された高機能な性能を利用して、紙媒体などの公知媒体により頒布，告知される商品などの情報に接したユーザーが前記情報とそれに関連する情報を、至って簡単な手間でその携帯電話機に容易に取寄せることを可能にするなど、従来公知の情報拡散と情報収集方式とは全く異なる商品情報の取扱いシステムを提供することを課題とする。
【０００７】
【課題を解決するための手段】
上記課題を解決することを目的としてなされた本発明システムの構成は、紙媒体などの公知媒体に掲載されたり公知媒体を通して頒布される商品などの情報に、人が視覚的且つ聴覚的に認識できる文字や記号などによるコードを付けて表示するか告知する一方、前記商品など情報のコードに連繋させてその商品などの情報に関連する情報をサーバーコンピュータに書込み，読出し自在にして格納しておき、前記媒体の商品などの情報に接したユーザーが前記コードを携帯電話機のキー操作で入力することにより、前記サーバーコンピュータから前記商品などの情報の関連した情報を当該携帯電話機に供給させて当該電話機の表示画面に表示させることを特徴とするものである。
【０００８】
本発明システムでは、コードを付した商品などの情報は、雑誌に掲載したり、商品自体のタグなどに印刷し、或は、ラジオ放送等の放送で告知することにより、ユーザーに提示することがある。
【０００９】
また、本発明システムにより各ユーザーの携帯電話機に供給される関連する情報は、各々のユーザーのコードと商品などの情報のコードに連繋されてサーバーコンピュータ、又は、当該コンピュータと前記電話機の記憶装置に格納して保存できるようにしてもよい。
【００１０】
【発明の実施の形態】
次に本発明の実施の形態例について、図を参照しつつ説明する。図１は本発明システムの構成を模式的に示したもので、１は本発明の商品などの情報、即ち、具体的な商品やサービス、或は、それらのメーカー，生産者，提供者，産地や場所など、或は、様々なジャンルや分野における人や場所などについての情報（以上のような情報を以下では「商品などの情報」という）を掲載したり頒布する商品情報の拡散媒体で、１ａは雑誌、１ｂは商品に直に付されているタグ、１ｃはラジオ放送、１ｄはテレビジョン放送（以下、ＴＶ放送）である。なお、ラジオ放送，ＴＶ放送とも、有線，無線を含みその放送方式は問わない。
【００１１】
商品などの情報の拡散媒体１における個々の媒体１ａ〜１ｄにより掲載乃至頒布される商品などの情報については、その中から選択された情報乃至は全ての情報に、それらの個々の情報に対応して夫々別個に複数桁の数字列が各商品などの情報にリンクしたコードとして付与されている。
【００１２】
上記コードは、商品などの情報自体が視覚的に認識できるもので提示されている、具体的には印刷や動画などで示されたものであるときは、一例として印字など視覚的に把握できる数字列で示される。一方、商品などの情報が聴覚で認識できる表示、具体的には放送時に音声で示されたものであるときは、音声で読上げる数字列で示される。
【００１３】
本発明において各々の商品などの情報に対して使用できるコードは、上記例の数字列のみならず、視覚的又は聴覚的に認識できるものであれば、ローマ文字や五十音を表わす文字、或はこれらを組合せたものなどであっても構わない。
【００１４】
２はＰＨＳ（パーソナルハンディホン）を含む携帯電話機で、図に表したディスプレイ２ａやテンキー２ｂのほか、図示しないＣＰＵ、メモリ、通信回路、電源などを具備しており、携帯電話網３に接続される通信機能を有すると共に、当該電話網３を介しインターネット４を経由して特定のサーバーコンピュータ５とインタラクティブにアクセスできる機能を有している。
【００１５】
５は、上記媒体１によって拡散，頒布される個々にコードを付した夫々の商品などの情報に関連した個々の関連する情報を、夫々に前記の各コードに連繋させて記憶装置５ａに書込み，読出し自在に格納したサーバーコンピュータで、図示したハードディスクなどによる記憶装置５ａ，５ｂのほか、ＣＰＵ、メモリ、ディスプレイなどの出力手段、キーボードなどの入力手段、通信回路などを具備している。
【００１６】
上記サーバーコンピュータ５は各携帯電話機とインタラクティブに交信できる通信機能を有しているので、一例として、前記の商品などの各情報のコードをユーザーが自分の携帯電話機から入力すると、記憶装置５ａの当該コードに連繋した情報をユーザーの携帯電話機２に送信できる状態になる。これによりユーザーは前記記憶装置５ａの関連する情報を読出すことが出来るのである。情報を読出したしたユーザーについては、その固有コード（例えばその携帯電話の番号や会員番号などによるユーザーコード）と当該ユーザーが読出した関連する情報とを連繋して記憶装置５ｂに蓄積するようになっており、以上により本発明システムの一例を形成する。
【００１７】
ここで、商品などの情報に関する関連する情報とは、雑誌１ａやラジオ１ｃにより提示される個々の商品や役務或は人や場所など（以下、「商品や人など」という）に関連して、メーカーや提供者、生産者や生産地など、或は、人の活動拠点や店の場所などの一次関連情報、その商品や人などに関するイベントや関連商品の取扱い店舗や関係ある人などの二次関連情報、その商品や人などに関する前記一次，二次関連情報以外の関連情報をいうものとする。
【００１８】
上記のように構成された本発明システムは、次のような形態で機能させる。
夫々のユーザーは、商品などの情報の拡散媒体１におけるいずれかの媒体１ａ〜１ｄによって知得する商品などの情報の中で、特定数字列のコードが付与されている情報に関し、もっと関連した情報が欲しいと思ったときには、自分の携帯電話機２によってサーバーコンピュータ５との接続状態を形成し、前記コードの数字を当該電話機２のテンキー２ｂを操作して入力する。
【００１９】
ユーザーにより携帯電話機２からコードの数字が入力されるなどしてその電話機２によるアクセスを受けたサーバーコンピュータ５では、前記電話機２から入力された商品などの情報のコードに連繋されて入力されている関連する情報を、前記電話機２に提供する。提供される情報は当該電話機２のディスプレイ２ａに表示される。このとき音声情報を伴うこともある。サーバーコンピュータ５から携帯電話機２に提供される関連する情報は、その内容やボリュームが各商品などの情報ごとに、即ち、付されたコードごとに区々である。各ユーザーは、コードを付した各商品などの情報ごとに格納されている関連する情報のすべての提供を受けることができるが、提供を受けている途中で随意にその提供を止めることもできる。つまり、ユーザー側はサーバーコンピュータから提供される関連する情報の量を任意にコントロールすることができる。上記の携帯電話機２とサーバーコンピュータ５の情報のやり取りは図２に例示したフローチャートの通りである。
【００２０】
本発明システムにおいて最も特徴的な点は、雑誌１ａに掲載された商品などの情報、或は、ラジオ等の放送１ｃ，１ｄで告知される商品などの情報に付された数字列のコードを、その商品などの情報に接したユーザーが自分の携帯電話機２から入力することにより、前記商品などの情報に関して関連する情報をすぐに手元の携帯電話機２のディスプレイ２ａで見ることができる点である。
【００２１】
そして、各ユーザーは自分の携帯電話機２に提供された関連する情報をその電話機２のメモリに残しておけば、いつでもその内容を閲覧できることも特徴点である。
【００２２】
これによって雑誌やラジオにより提示される一面的乃至一元的な商品などの情報は、各ユーザーが所有する携帯電話機によって関連する情報を手元に取り寄せることができるので、商品などの情報とそれに関連する様々な情報を膨らませることができ、従って、従来の公知媒体による単なる商品などの情報の一元的提示に比べ、その商品や人などに関して関連する様々な情報を自由に取得できるユーザーは、例えば商品の選択購入などに当り必要な知識や参考になる商品知識などを容易に入手でき、また興味を持った人や場所などに関連する様々な情報も容易に入手できることとなる。
【００２３】
一方、媒体１に提示された商品などの情報について各ユーザーから関連する情報がサーバーコンピュータ５に請求された事実は、サーバーコンピュータ５の記憶装置５ｂに蓄積データとして格納され保存されるから、サーバー側はこの蓄積データを分析することなどによって、様々な商品や人などについてユーザーの関心やユーザーが持つイメージ、或は、市場での動向などをいち早く入手できる利点がある。
【００２４】
【発明の効果】
本発明は以上の通りであって、雑誌やラジオなどの媒体を通してユーザーに提示される商品などの情報について、携帯電話機のインターネット接続機能を利用することにより、前記商品などの情報に関して関連する様々な情報をその携帯電話機に提供できるようにしたので、従来公知の媒体による商品などの情報の提示や取得に比べ、より拡大した内容、或は、より深まった（より高まった）内容で商品や人などに関する情報とそれらに関連した様々な情報とを容易に入手することが可能になる。
【図面の簡単な説明】
【図１】本発明システムを模式的に示した図。
【図２】本発明システムにおける情報のやり取りのフローチャート。
【符号の説明】
１        拡散媒体
２        携帯電話機
３        電話網
４        インターネット
５        サーバーコンピュータ
５ａ，５ｂ    記憶装置
【図１】
2005025634.tif 000003
【図２】
2005025634.tif 000004